(57)【特許請求の範囲】
【請求項１】
立方骨に相当する部位から舟状骨に相当する部位を含んで左右の両側縁に向って下傾して厚みを漸減させると共に、前記立方骨に相当する部位から前後に向って下傾して厚みを漸減させて、前後左右の放射方向に厚みを漸減させた、前記立方骨を足底から支持するための立方骨支持凸部を備え、
前記立方骨支持凸部に重なり合って配置されて、長足底靭帯を介して踵骨結節を支持することで、前記立方骨支持凸部を中心に足の運動を許容した状態で、足底の外側縦アーチに対する踵立方関節の歪みを抑えて、踵骨前部を足底から支持するための踵骨前部支持凸部を備えたことを特徴とする靴用インソール。
【請求項２】
前記踵骨前部支持凸部が足底の外側縦アーチを維持して設けられ、踵骨全体が踵骨前部及び踵骨後部の二か所で支持されることを特徴とする請求項１に記載の靴用インソール。
【請求項３】
前記踵骨前部支持凸部が両側縁及び前後に向けて下傾することを特徴とする請求項１又は２に記載の靴用インソール。
【請求項４】
前記立方骨支持凸部及び前記踵骨前部支持凸部の上に表層が設けられ、インソール本体が多層に形成されていることを特徴とする請求項１乃至３の何れか一項に記載の靴用インソール。
【請求項５】
前記踵骨前部支持凸部は、他の部分と物性の異なる素材で形成され、足が置かれたときに、前記他の部分が沈むことにより、前記踵骨前部支持凸部が踵骨前部を足底から支持することを特徴とする請求項１乃至４の何れか一項に記載の靴用インソール。
【請求項６】
前記立方骨支持凸部は、他の部分と物性の異なる素材で形成され、足が置かれたときに、前記他の部分が沈むことにより、前記立方骨支持凸部が立方骨を足底から支持することを特徴とする請求項１乃至５の何れか一項に記載の靴用インソール。
【発明の詳細な説明】
【技術分野】
【０００１】
本発明は、靴用インソールに関する。
【背景技術】
【０００２】
従来、靴用インソールにおいて、立方骨を支点に足を裏から支持する立方骨支持凸部を備え、この立方骨支持凸部によって足の骨格バランスを整えて、立方骨を支点とした足の運動を許容したインソールが知られている（例えば、特許文献１参照）。
【先行技術文献】
【特許文献】
【０００３】
【特許文献１】特許第４７３３９５７号公報明細書
【発明の概要】
【発明が解決しようとする課題】
【０００４】
上述の従来のインソールでは、立方骨を支持する立方骨支持凸部によって足のバランスが整えられていたが、足をさらにバランス良く支持することが望まれている。
本発明は、上述した事情に鑑みてなされたものであり、足をバランス良く支持することが可能な靴用インソールを提供することを目的とする。
【課題を解決するための手段】
【０００５】
上記目的を達成するために、本発明の靴のインソールは、立方骨に相当する部位から舟状骨に相当する部位を含んで左右の両側縁に向って下傾して厚みを漸減させると共に、前記立方骨に相当する部位から前後に向って下傾して厚みを漸減させて、前後左右の放射方向に厚みを漸減させた、前記立方骨を足底から支持するための立方骨支持凸部を備え、前記立方骨支持凸部に重なり合って配置されて、長足底靭帯を介して踵骨結節を支持することで、前記立方骨支持凸部を中心に足の運動を許容した状態で、足底の外側縦アーチに対する踵立方関節の歪みを抑えて、踵骨前部を足底から支持するための踵骨前部支持凸部を備えたことを特徴とする。
【０００６】
上述の構成において、前記踵骨前部支持凸部が足裏の縦アーチを維持して設けられ、踵骨全体が踵骨前部及び踵骨後部の二か所で支持されてもよい。【０００７】
上述の構成において、前記踵骨前部支持凸部が両側縁及び前後に向けて下傾してもよい。【０００８】
上述の構成において、前記踵骨前部支持凸部が舟状骨に相当する部位を含んで下傾してもよい。【０００９】
上述の構成において、足裏の縦アーチを維持して踵立方関節の動きを妨げることのないように立方骨を支持可能な立方骨支持凸部を備えてもよい。【００１０】
上述の構成において、前記立方骨支持凸部が両側縁及び前後に向けて下傾してもよい。【００１１】
上述の構成において、前記立方骨支持凸部が舟状骨に相当する部位を含んで下傾してもよい。【００１２】
上述の構成において、前記立方骨支持凸部に前記踵骨前部支持凸部が重なり合ってもよい。【００１３】
上述の構成において、前記立方骨支持凸部及び前記踵骨前部支持凸部の上に表層が設けられ、インソール本体が多層に形成されていてもよい。【００１４】
上述の構成において、前記踵骨前部支持凸部は、長足底靭帯を支持可能に設けられていてもよい。【００１５】
上述の構成において、前記踵骨前部支持凸部は、他の部分と物性の異なる素材で形成され、足が置かれたときに、前記他の部分が沈むことにより、前記踵骨前部支持凸部が踵骨前部を足裏から支持してもよい。【００１６】
上述の構成において、前記立方骨支持凸部は、他の部分と物性の異なる素材で形成され、足が置かれたときに、前記他の部分が沈むことにより、前記立方骨支持凸部が立方骨を足裏から支持してもよい。
【発明の効果】
【００１７】
本発明によれば、足の運動を許容した状態で、例えば、使用者の体重を支える要であって縦アーチや回内及び回外運動に重要な役割をはたす踵骨前部を支持するので、踵骨が安定し、ひいては、踵骨を含む足根骨全体が自然な状態で安定する。
【図面の簡単な説明】
【００１８】
【図１】図１は、本発明の実施形態に係るインソールを示す斜視図である。
【図２】図２は、足の骨格を重ね合わせたインソールを示す底面図である。
【図３】図３は、インソールを示す横方向断面図であり、図３（Ａ）は図２のＳ１−Ｓ１断面図、図３（Ｂ）は図２のＳ２−Ｓ２断面図、図３（Ｃ）は図２のＳ３−Ｓ３断面図、図３（Ｄ）は図２のＳ４−Ｓ４断面図、図３（Ｅ）は図２のＳ５−Ｓ５断面図である。
【図４】図４は、インソールを示す縦方向断面図であり、図４（Ａ）は図２のＳ６−Ｓ６断面図、図４（Ｂ）は図２のＳ７−Ｓ７断面図、図４（Ｃ）は図２のＳ８−Ｓ８断面図、図４（Ｄ）は図２のＳ９−Ｓ９断面図、図４（Ｅ）は図２のＳ１０−Ｓ１０断面図である。
【図５】図５は、インソールと足との関係を示す縦方向断面図であり、インソールは図２のＳ９−Ｓ９断面図と同一である。
【図６】図６は、回内運動を示す斜視図である。
【図７】図７は、回外運動を示す斜視図である。
【図８】図８は、本発明の変形例に係るインソール１００と足との関係を示す縦方向断面図である。
【発明を実施するための形態】
【００１９】
以下、図面を参照して本発明の実施形態について説明する。
図１は、本実施形態に係るインソールを示す斜視図である。
インソール（靴用インソール）１は、平面視において靴の内部輪郭に倣った形状であり、靴の内部に収納される外縁輪郭７０を備えている。外縁輪郭７０を靴の内部輪郭に適合させることで、インソール１挿入時に靴の中でそのインソール１は所定の位置に装着される。インソール１を使用する者の足の形状には個人差があり、一定でないので、インソール１の全体の大きさは使用者の足のサイズに応じて選定される。また、インソール１の各部位の厚みを変更することでインソール１の各部位の厚みに差をつけることができるようになっている。このインソール１は、数種類の厚みと数種類のサイズのものを準備することで、汎用性を持たせることができる。
【００２０】
インソール１は、厚みを調整することにより、インソール１の足が接する側の表面には凹凸（凹状部及び凸状部２）が形成される。また、インソール１に肉抜き部分７２，７４（図３参照）を形成してインソール１の変形を容易にする。
なお、平坦なインソールを予め用意して別体の凸状部２を平坦なインソールの表面に着脱自在に装着したり、また、インソールを複数層とし、中間層に凸状部２を装着したりして、表面素材に凹凸が形成されることもある。
【００２１】
本実施形態のインソール１について、その構成や機能作用を説明するため、次に、足の骨格構造について説明する。
図２は、足の骨格を重ね合わせたインソール１を示す底面図である。この図面は下方から見た図面であり、骨同士が重なり合っているために骨の一部が隠れていることに留意されたい。足の表から見た平面図は、図２の底面図とは骨の重なり方が異なる。
図２に示されるように、足の骨格構造１０は、踵骨１２、距骨１４、舟状骨１６、立方骨１８、第１〜第３楔状骨２０，２２，２４、第１〜第５中足骨２６，２８，３０，３２，３４、第１〜第５基節骨３６，３８，４０，４２，４４、第２〜第５中節骨４６，４８，５０，５２、第１〜第５末節骨５４，５６，５８，６０，６２より構成される。第１〜第５中足骨２６，２８，３０，３２，３４の前端部は、第１〜第５中足骨頭部２６Ａ（母趾球２６Ａとも言う。），２８Ａ，３０Ａ，３２Ａ，３４Ａ（小趾球３４Ａとも言う。）である。踵骨１２の前部に位置する段状の部分は、踵骨前部（踵骨結節とも言う。）１２Ａである。なお、図２では、舟状骨１６のみ、骨同士の重なりによる隠れた部分を破線で示す。
また、足の裏には、横アーチと、この横アーチと直交する方向に延びる内側縦アーチ及び外側縦アーチとがある。横アーチは、第１〜第５中足骨２６〜３４で形成されている。また、内側縦アーチは、踵骨１２、距骨１４、舟状骨１６、３個の楔状骨２０〜２４、及び第１〜第３中足骨２６〜３０で構成されている。外側縦アーチは、踵骨１２、立方骨１８、第４〜第５中足骨３２，３４で構成されている。
【００２２】
インソール１の表面には、図１及び図２に示すように、凸状部２を構成する立方骨支持凸部８０及び踵骨前部支持凸部９０が形成されている。立方骨支持凸部８０は立方骨１８に相当する部分に設けられ、踵骨前部支持凸部９０は踵骨結節１２Ａに相当する部位に設けられている。立方骨支持凸部８０及び踵骨前部支持凸部９０は中実に形成されている。
本実施形態では、踵骨前部支持凸部９０は立方骨支持凸部８０上に設けられており、踵骨前部支持凸部９０の表面が立方骨支持凸部８０の表面に重なり合って、一つの凸状部２を形成している。立方骨支持凸部８０及び踵骨前部支持凸部９０は、相互に一体であってもよいし、別体であってもよく、また、前述の通り、平坦なインソールと別体に形成されることもある。なお、図２では、踵骨前部支持凸部９０は、当該踵骨前部支持凸部９０の高さを示す等高線とともに模式的に図示されている。
以下、図２乃至図４を参照し、立方骨支持凸部８０及び踵骨前部支持凸部９０について詳細に説明する。
【００２３】
図３は、インソール１を示す横方向断面図であり、図３（Ａ）は図２のＳ１−Ｓ１断面図、図３（Ｂ）は図２のＳ２−Ｓ２断面図、図３（Ｃ）は図２のＳ３−Ｓ３断面図、図３（Ｄ）は図２のＳ４−Ｓ４断面図、図３（Ｅ）は図２のＳ５−Ｓ５断面図である。図４は、インソール１を示す縦方向断面図であり、図４（Ａ）は図２のＳ６−Ｓ６断面図、図４（Ｂ）は図２のＳ７−Ｓ７断面図、図４（Ｃ）は図２のＳ８−Ｓ８断面図、図４（Ｄ）は図２のＳ９−Ｓ９断面図、図４（Ｅ）は図２のＳ１０−Ｓ１０断面図である。図５は、インソール１と足との関係を示す縦方向断面図であり、インソール１は図２のＳ９−Ｓ９断面図と同一である。本実施形態の図１乃至図５は、右足用のインソール１及び右足の骨格を示しているが、左足用のインソール１及び左足の骨格は鏡像対象となる。
【００２４】
図１及び図３の横方向断面図を参照すると、インソール１はＳ１−Ｓ１断面の基節骨３６〜４４付近を横切る上面及び下面は平坦である。個人差はあるが、足とインソール１と靴はほぼ全面で接する。Ｓ１−Ｓ１断面には肉抜き部分７２，７４はない。
Ｓ２−Ｓ２断面は中足骨２６−３４を横切る横アーチに相当する部位であり、インソール１は、Ｓ２−Ｓ２断面において、一般的な足に対応して土踏まずに相当する部位で厚みが厚く、右足外側に向けて表面側が下傾して厚みが漸減している。また、左右内外側の裏面には、平坦部分の両側において肉抜き部分７２，７４が形成されており、Ｓ２−Ｓ２断面における左右への変形を若干許容できるようになっている。
【００２５】
Ｓ３−Ｓ３断面は立方骨１８に相当する部位であり、Ｓ３−Ｓ３断面には最大厚みの立方骨支持凸部８０を備えている。立方骨支持凸部８０の表面８０Ａは、立方骨１８に相当する部位から左右の両側縁７６に向って舟状骨１６に相当する部位３（図２）を含んで下傾して厚みを漸減させている。インソール１は、Ｓ３−Ｓ３断面において、最外縁に隆起縁部７８を備えている。図３において、左右に向う表面側の厚みの漸減程度は僅かにしか見えないが、これは足に土踏まずがあるために、その形状に適合させているからである。換言すると、インソール１を装着した靴内に足を入れて立位姿勢になったとき、立方骨１８に相当する立方骨支持凸部８０は、足裏面に最大応力を作用させる。インソール１は、立方骨支持凸部８０から左右に向かって舟状骨１６に相当する部位を含んで応力が緩徐に漸減する構成である。
また、インソール１の底面側の構成として、靴に接する部位は立方骨１８に相当する部位、すなわち、立方骨支持凸部８０の裏側において平坦である。この構成により、立方骨１８には靴から常に反力が作用する。左右内外側の裏側には、肉抜き部分７２，７４が形成される。上述のＳ２−Ｓ２断面、後述するＳ４−Ｓ４断面と対比して、Ｓ３−Ｓ３断面の肉抜き部分７２，７４は大きくなっており、立方骨１８に相当する両側で最大であり、前後に向って肉抜き部分７２，７４は小さくなる。Ｓ３−Ｓ３断面の表面側を両側縁７６に向って下傾させるだけでなく、肉抜き部分７２，７４を大きくすることにより、インソール１は立方骨支持凸部８０から両側にずれた部位において変形が容易になり、足に作用する応力は立方骨支持凸部８０から左右に離れるに従い漸減する。
【００２６】
Ｓ４−Ｓ４断面は踵骨結節１２Ａを横切って縦アーチ後方終点に相当する部位であり、Ｓ４−Ｓ４断面には最大厚みの踵骨前部支持凸部９０を備えている。踵骨前部支持凸部９０の表面９０Ａは、踵骨結節１２Ａに相当する部位から左右の両側縁７６に向って舟状骨１６に相当する部位３（図２）を含んで下傾して厚みを漸減させている。換言すると、インソール１は、踵骨前部支持凸部９０から左右に離れるに従い応力が緩徐に漸減する構成である。また、インソール１は、Ｓ４−Ｓ４断面において、両側に向けて表面側が上傾して厚みが漸増し、最外縁に隆起縁部７８を備えている。左右内外側の裏面には、平坦部分の両側において肉抜き部分７２，７４が形成されており、Ｓ４−Ｓ４断面における左右への変形を若干許容できるようになっている。
【００２７】
Ｓ５−Ｓ５断面は踵骨１２の後部を横切って縦アーチ後方終点に相当する部位である。インソール１は、Ｓ５−Ｓ５断面において、一般的な足に対応して踵を支持するように表面側は比較的平坦である。また、インソール１は、Ｓ５−Ｓ５断面において、両側に向けて表面側が上傾して厚みが漸増し、最外縁に隆起縁部７８を備えている。左右内外側の裏面には、肉抜き部分７２，７４が形成されており、Ｓ５−Ｓ５断面における左右への変形を若干許容できるようになっている。
【００２８】
図４の縦方向断面図を参照すると、インソール１はＳ６−Ｓ６断面及びＳ７−Ｓ７断面では、内側縦アーチを構成する楔状骨２０〜２４、舟状骨１６に相当する部位において表面が隆起している。本発明のインソール１は、立方骨１８及び踵骨結節１２Ａに相当する部位だけを支持するのではなく、安定性を考慮して他の部分においても支持する。ただし、足の運動を拘束するような構成ではない。
そのため、Ｓ２−Ｓ２断面〜Ｓ４−Ｓ４断面を参照して説明したように、Ｓ６−Ｓ６断面及びＳ７−Ｓ７断面にも示されるように、肉抜き部分７２が設けられており、インソール１は、立方骨支持凸部８０の内側において沈下できるようになっている。Ｓ３−Ｓ３断面を参照して説明したように、楔状骨２０〜２４、舟状骨１６に相当する部位に力が作用した場合においても、肉抜き部分７２によりインソール１が変形することで作用する応力を緩和する。
【００２９】
Ｓ７−Ｓ７断面乃至Ｓ９−Ｓ９断面は立方骨１８に相当する部位であり、Ｓ７−Ｓ７断面乃至Ｓ９−Ｓ９断面には最大厚みの立方骨支持凸部８０を備えている。立方骨支持凸部８０の表面８０Ａは、立方骨１８に相当する部位から前後に向って下傾して厚みを漸減させている。換言すると、インソール１を装着した靴内に足を入れて立位姿勢になったとき、立方骨１８に相当する立方骨支持凸部８０は、足裏面に最大応力を作用させる。インソール１は、立方骨支持凸部８０から前後に離れるに従い応力が緩徐に漸減する構成である。
また、インソール１の底面側の構成として、靴に接する部位は立方骨１８に相当する部位、すなわち、立方骨支持凸部８０の裏側において平坦である。この構成により、立方骨１８には靴から常に反力が作用する。
【００３０】
Ｓ８−Ｓ８断面及びＳ９−Ｓ９断面は踵骨結節１２Ａに相当する部位でもあり、Ｓ８−Ｓ８断面及びＳ９−Ｓ９断面には最大厚みの踵骨前部支持凸部９０を備えている。踵骨前部支持凸部９０の表面９０Ａは、踵骨結節１２Ａに相当する部位から前後に向って下傾して厚みを漸減させている。換言すると、インソール１は、踵骨前部支持凸部９０から前後に離れるに従い応力が緩徐に漸減する構成である。
また、インソール１の底面側の構成として、靴に接する部位は踵骨結節１２Ａに相当する部位、すなわち、踵骨前部支持凸部９０の裏側において平坦である。この構成により、踵骨結節１２Ａには靴から常に反力が作用する。
【００３１】
Ｓ１０−Ｓ１０断面は外側縦アーチを構成する第５中足骨３４に相当する部位において表面が隆起している。当該部位は立方骨支持凸部８０及び踵骨前部支持凸部９０の外側に位置しており、安定性を考慮して若干の盛り上がりがある。ただし、足の運動を拘束するような構成ではない。
外側縦アーチに相当する部位には肉抜き部分７４が設けられており、インソール１は、立方骨支持凸部８０及び踵骨前部支持凸部９０の外側においても沈下できるようになっている。Ｓ３−Ｓ３断面を参照して説明したように、外側縦アーチの第５中足骨３４に力が作用した場合においても、肉抜き部分７４によりインソール１が変形することで作用する応力を緩和する。
【００３２】
図３の横断面と図４の縦断面を参照して説明したように、インソール１は、立方骨支持凸部８０を中心にして前後左右の放射方向に下傾させることで、立方骨１８を集中的に支持し、立方骨１８から前後左右にずれた足の部位ではその部位に作用する応力が漸減する。これによって、以下に説明するように、正常な姿勢を維持できるとともに、運動機能を向上させることができる。
また、立方骨１８に相当する部位において足を裏から支持し、立方骨１８を中心として左右前後へ下傾させ、さらに、肉抜き部分７２，７４を設けることにより運動を許容することで、使用者自身がそれぞれの足で立方骨１８を中心として調芯して正常な姿勢に復帰しようとする刺激が与えられる。
【００３３】
足の骨は、部分的な関節に着目すると、ショパール関節とリスフラン関節に分けることができる。ショパール関節は、足部の踵側の関節であり、図２中、踵骨１２、距骨１４、舟状骨１６、立方骨１８からなる関節である。他方、リスフラン関節は、足部の趾側の関節であり、図２中、立方骨１８、第１〜第３楔状骨２０〜２４、第１〜第５中足骨２６〜３４からなる関節である。
立方骨１８は、ショパール関節とリスフラン関節を同時に構成する唯一の骨であり、重要な部位に位置する。筋力の低下や靭帯のゆるみなどが原因で立方骨１８が正常な位置でなくなることによりショパール、リスフラン関節の歪みが生じる。この歪みによって、前足部外反や前足部内反を引き起こすのである。立方骨１８を中心に支持することにより、ショパール関節とリスフラン関節の歪みを解消することができ、正常な姿勢を維持することができる。
また、関節であるため固定的に支持するだけでは運動機能を阻害する。そのため、運動を許容することも必要であり、インソール１は立方骨支持凸部８０を中心にして放射方向には表面が下傾して応力を緩和する構成となっているので、両関節の運動を許容できる。
【００３４】
次に、機能面に着目すると、足の骨は、運動性を司る内側コンパートメントと安定性に関係する外側コンパートメントから構成されていると見ることができる。内側コンパートメントは、距骨１４、舟状骨１６、楔状骨２０〜２４、第１趾〜第３趾の中足骨２６〜３０、基節骨３６〜４０、中節骨４６，４８、末節骨５４〜５８からなる骨群であり、主として、走ったり止まったりという運動に用いられる。他方、外側コンパートメントは、踵骨１２、立方骨１８、第４趾〜第５趾の中足骨３２，３４、基節骨４２，４４、中節骨５０，５２、末節骨６０，６２、からなる骨群であり、立位姿勢の体を支えるために用いられる。
立方骨１８は、外側コンパートメントの中心であると同時に、内側コンパートメントの中心になる舟状骨１６や楔状骨２０〜２４も下方から支える構造になっている。図２では底面図のために距骨１４、舟状骨１６に隠れている。構造的には立方骨１８にすべての骨格に加わった力が集中する。そのため、立方骨１８が不安定だと足全体の剛性も低くなり歪みやすくなり、力の伝達も悪くなる。
足に加わった力は立方骨１８に応力集中するようになっているため、立方骨１８を下方から支えることで足全体の剛性が高まり過剰な歪みを防ぐことができ、力の伝達がよくなる。また、足が回内運動、回外運動を行う際、いずれも立方骨１８の下方への低下を伴うが、立方骨１８を理想的な位置で下方から支えると中立位が再現できるので、運動機能を向上させることもできる。
【００３５】
ここで、立方骨１８を支持しただけでは、踵骨１２が安定せず、立方骨１８と踵骨１２と関節（踵立方関節）に歪みが生じてしまう。この踵立方関節はショパール関節の一部を構成している。
また、踵骨１２は、内側縦アーチ及び外側縦アーチの両方を同時に構成するため、踵骨１２が安定しないと、縦アーチを正常な位置に維持できなくなる。特に、踵骨１２の前部の踵骨結節１２Ａは、図５に示すように、踵骨１２の中間部と第２〜第５中足骨２８〜３４を繋ぐ長足底靭帯６４が重なるように位置している。この長足底靭帯６４は縦アーチを維持する働きもしている。
【００３６】
したがって、踵骨前部支持凸部９０によって、長足底靭帯６４を介して踵骨結節１２Ａを支持することにより、踵骨１２が安定し、踵立方関節の歪みを減少できるとともに、縦アーチを正常な位置にすることができる。これにより、縦アーチがばねとしてより効果的に機能することとなる。特に、夜間では、昼間に比べ、長足底靭帯６４の縦アーチを維持する機能が低下するため、長足底靭帯６４を支持することが有効である。すなわち、踵骨前部支持凸部９０は、長足底靭帯６４が重なる位置の踵骨結節１２Ａに相当する部位４を含む。
【００３７】
また、この踵骨前部支持凸部９０は、長足底靭帯６４を支持して足アーチの受動的安定を促すだけでなく、長足底靭帯６４を介して外側縦アーチの能動的安定化にとって重要な長腓骨筋の停止腱６６を支える。ここで、受動的安定は靭帯により、能動的安定は筋（腱）によりなされる。長腓骨筋の停止腱６６は、図２に示すように、立方骨１８の周りを巻いた後、足の外側縁から足底を横切り、第１楔状骨２０と第１中足骨２６の底に停止する。さらに、踵骨前部支持凸部９０の一部は立方骨１８の下部に位置し、立方骨１８を介して、舟状骨１６を支持する。このことによって、内側縦アーチの能動的安定化構造の主である、後脛骨筋の停止腱６７が間接的に支持される。後脛骨筋の停止腱６７は、筋膜を第１〜第３楔状骨２０、第２〜第３中足骨２８，３０及び舟状骨１６に出している。長腓骨筋、後脛骨筋、これら二つの筋の斜めの走行により、横アーチに加えて縦アーチが保持される。
一方で、踵骨前部支持凸部９０は、長腓骨筋及び後脛骨筋の筋腹部は支持しない構成である。同様に、踵骨前部支持凸部９０による、縦アーチの能動的安定に関与する足の短筋（母趾外転筋、短母趾屈筋、短趾屈筋、小趾外転筋）の筋腹位置への影響は少ない。すなわち、踵骨前部支持凸部９０は、足アーチの受動的安定を改善させながら、能動的安定は阻害しない構成となっている。
【００３８】
また、踵骨１２も関節を構成するため、固定的に支持するだけでは運動機能を阻害するので、運動を許容することも必要である。インソール１は、立方骨支持凸部８０を中心にして放射方向には表面が下傾して応力を緩和する構成となっているので、踵骨１２が構成する関節の運動を許容できる。より詳細には、踵骨前部支持凸部９０は、比較的柔らかい素材で形成されており、使用者の体重で厚みが最大となる部分が沈み、踵骨結節１２Ａを支持する。踵骨前部支持凸部９０が沈むことで、インソール１は、立方骨支持凸部８０を中心にして前後左右の放射方向に下傾して、立方骨１８を支点に足を支持するとともに、該立方骨支持凸部８０を中心に足の運動を許容する。
【００３９】
さらに、使用者の体重Ｆは脛骨６８から距骨１４を介して踵骨１２に作用するため、踵骨１２は使用者の体重を支える要となる。この踵骨１２では、踵骨前側上端１２Ｂが力点Ｐ１となり、踵骨下端（踵骨後部）１２Ｃが支点Ｐ２となるので、踵骨１２には、支点Ｐ２を中心としたモーメントが作用する。したがって、力点Ｐ１の略直下の踵骨結節１２Ａを支持することで、踵骨１２を安定させることができる。また、踵骨結節１２Ａは、支点Ｐ２となる踵骨下端１２Ｃから距離Ｌ１があるため、踵骨結節１２Ａに相当する部位に踵骨前部支持凸部９０を設けることで、小さな力で効率良く踵骨１２を支持できる。
【００４０】
立方骨１８にも、踵骨１２を介して使用者の体重Ｆが作用する。立方骨１８については、第１〜第５中足骨頭部２６Ａ〜３４Ａが支点Ｐ３となるので、立方骨１８には、支点Ｐ３を中心としたモーメントが作用する。力点Ｐ１の略直下の立方骨１８を支持することで、立方骨１８を安定させることができる。また、立方骨１８は、支点Ｐ３となる第１〜第５中足骨頭部２６Ａ〜３４Ａから距離Ｌ２があるため、立方骨１８に相当する部位に立方骨支持凸部８０を設けることで、小さな力なで効率良く立方骨１８を支持できる。
【００４１】
次に、足の運動の種類に着目する。図６は回内運動を示す斜視図、図７は回外運動を示す斜視図である。
回内とは、図６に示すように、足部の外転ＡＢＤ、背屈ＤＦ、外反ＥＶを伴った動きで、足全体が内側にねじれる動きのことである。回外とは、図７に示すように、回内の逆の動きで、足部の内転ＡＤＤ、底屈ＰＦ、内反ＩＮＶを伴った、足全体が外方向にねじれる動きである。
足が回内すると脛骨（スネの骨）は内旋（内向きに回旋）する。脛骨の内旋と連動して大腿骨（太ももの骨）も内旋する。足が回外すると脛骨は外旋(外向きに回旋）する。脛骨の外旋と連動して大腿骨も外旋する。正常な歩行や運動を行うためには適度な回内や回外は必要不可欠な動きであり、足の歪みは過剰な回内（外転、背屈、外反＝内側にねじれる動き）、回外（内転、底屈、内反＝外にねじれる動き）によって引き起こされる。
【００４２】
本実施形態のインソール１（図１）は、単に立方骨支持凸部８０により立方骨１８付近を支持するだけでなく、各運動を許容するようになっている。インソール１は、立方骨１８相当部位を下方から支える形になり、足の骨格の過剰な歪みを補正、予防しながら回内運用及び回外運動をスムーズに誘導する。すなわち、インソール１を装着した際、立方骨支持凸部８０を頂点として立方骨１８が支持される。立方骨１８が下方から支持されるので、足は左右前後への中立位（ニュートラル）を維持しながら、立方骨１８を支点として回内運動では外反を許容されるとともに回外運動では内反を許容される。これにより、インソール１が関節の正常な動きを妨げることなく、他の部位での代償の必要性も少なく前後左右への重心の移動が容易になる。すなわち、インソール１は、足をギプスのように固定的に拘束するのではなく、立方骨支持凸部８０から放射方向に表面が下傾して応力を緩和し、さらに、肉抜き部分７２，７４を設けてインソール１自体を変形しやすくすることで運動を許容するようになっている。
【００４３】
また、踵骨１２は、回内の背屈ＤＦ及び外反ＥＶ、並びに、回外の底屈ＰＦ及び内反ＩＮＶに重要な役割を果たすので、踵骨１２を支持することで、回内の背屈ＤＦ及び外反ＥＶ、並びに、回外の底屈ＰＦ及び内反ＩＮＶが安定する。
通常の歩行でも、歩行場所が砂利道、階段、凸凹状、傾斜等であると、踵骨１２は、例えば、外反ＥＶで１０°、内反ＩＮＶで２０°傾斜する。したがって、踵骨１２を立方骨支持凸部８０によって支持することで、スポーツ等の激しい運動に限らず、通常の歩行でも足の動きを安定させることができる。
【００４４】
以上説明したように、本実施形態によれば、踵骨結節１２Ａを足裏から支持するための踵骨前部支持凸部９０を備える構成とした。この構成により、使用者の体重を支える要であって縦アーチや回内及び回外運動に重要な役割をはたす踵骨１２を安定させるとともに、足の運動を許容するので、踵骨１２を含む足根骨全体を自然な状態で安定させることができる。
【００４５】
また、本実施形態によれば、踵骨前部支持凸部９０が足裏の縦アーチを維持して設けられ、踵骨１２全体が踵骨結節１２Ａ及び踵骨下端１２Ｃの二か所で支持される構成とした。すなわち、踵骨前部支持凸部９０が足裏の縦アーチを維持しつつ踵骨結節１２Ａを支持するため、踵骨１２全体がインソール１によって踵骨結節１２Ａ及び踵骨下端１２Ｃの二か所で支持されることとなり、縦アーチを維持した状態で踵骨１２全体を安定して支持できる。なお、踵側が省略されたインソールの場合には、踵骨１２全体がインソール１の踵骨前部支持凸部９０及び靴によって踵骨結節１２Ａ及び踵骨下端１２Ｃの二か所でそれぞれ支持されることとなる。
【００４６】
また、本実施形態によれば、足裏の外側における縦アーチを維持して踵立方関節の動きを妨げることのないように立方骨１８を支持可能な立方骨支持凸部８０を備える構成とした。この構成により、立方骨１８と踵骨１２との踵立方関節を含むアーチ形状を保持した状態、かつ、足の運動を許容した状態で、立方骨１８及び踵骨１２が安定するので、踵立方関節の歪みが減り、立方骨１８及び踵骨１２を含む足根骨全体が自然な状態で安定する。その結果、足の関節が自由に動くので、足の機能を高めることができる。
【００４７】
また、本実施形態によれば、踵骨前部支持凸部９０は、長足底靭帯６４を支持可能に設けられているため、縦アーチを維持する長足底靭帯６４を介して踵骨結節１２Ａを支持することで、縦アーチをより安定して保持できる。
【００４８】
また、本実施形態によれば、踵骨前部支持凸部９０の表面９０Ａが立方骨支持凸部８０の表面８０Ａに重なり合い、立方骨支持凸部８０上に踵骨前部支持凸部９０を設ける構成としたため、踵骨前部支持凸部９０を容易に形成できる。
【００４９】
但し、上述の実施形態は本発明の一態様であり、本発明の趣旨を逸脱しない範囲において適宜変更可能であるのは勿論である。
例えば、上述の実施形態では、立方骨１８を支持する立方骨支持凸部８０と、踵骨結節１２Ａを支持する踵骨前部支持凸部９０とを一体にして凸状部２を形成していたが、図８に示すインソール１００ように、立方骨支持凸部１８０と踵骨前部支持凸部１９０とを別体にしてもよい。この場合、立方骨支持凸部１８０及び踵骨前部支持凸部１９０は両側縁７６に向かって舟状骨１６に相当する部位３を含んで下傾、或いは、応力を漸減するとともに、立方骨支持凸部１８０は前に向かって下傾、或いは、応力を漸減し、踵骨前部支持凸部１９０は後ろに向かって下傾、或いは、応力を漸減するように形成すればよい。なお図８では、図１に示すインソール１と同一部分には同一の符号を付して説明を省略する。
また、この場合、立方骨支持凸部１８０と踵骨前部支持凸部１９０とは前後に連結している必要はなく、立方骨支持凸部８０と踵骨前部支持凸部９０との間に隙間があってもよい。
【００５０】
また、上述の実施形態では、インソール１の底面を、立方骨支持凸部８０及び踵骨前部支持凸部９０の裏側において平坦としたが、インソール１の底面の形状はこれに限定されるものではない。
【００５１】
また、上述の実施形態では、立方骨支持凸部８０及び踵骨前部支持凸部９０を中実に形成したいたが、立方骨支持凸部８０及び踵骨前部支持凸部９０の表面８０Ａ，９０Ａの内部を中空としてもよい。
【００５２】
上述の実施形態では、インソール１が靴の内部形状にほぼ適合させられているが、いわゆるハーフサイズとして爪先部分を省略した平面形状であってもよい。インソール１に厚みが必要となる部位は、中足骨部分より後方の横アーチに相当する部位から踵骨付近であるため、爪先側及び踵側が省略されていてもよい。
【００５３】
また、図示は省略するが、立方骨支持凸部８０及び踵骨前部支持凸部９０の上に表層が設けられ、インソール本体が多層に形成されていてもよい。
【００５４】
また、上述の実施形態では、立方骨支持凸部８０及び踵骨前部支持凸部９０を凸状に形成したが、立方骨支持凸部８０及び踵骨前部支持凸部９０を他の部分と硬度や、反発係数、材質等の物性の異なる素材で形成し、インソール１の全体を略平坦に形成してもよい。この場合、足が置かれたときに、立方骨支持凸部８０及び踵骨前部支持凸部９０以外の他の部分が沈むことにより、立方骨支持凸部８０が凸部となって立方骨１８を支持し、踵骨前部支持凸部９０が凸部となって踵骨結節１２Ａを支持することとなる。
【００５５】
本発明の靴用インソールは、立位姿勢の改善や運動機能の向上を目的としており、日常的に使用する靴だけでなく、スキーやサッカーなどの機能性を追求する運動用の靴や、治療やリハビリテーションを目的とした医療用の靴、健康増進を目的としたトレーニング用の靴等、種々の靴に幅広く好適である。
【符号の説明】
【００５６】
１  インソール（靴用インソール）
３  部位
４  部位
１２  踵骨
１２Ａ  踵骨結節（踵骨前部）
１６  舟状骨
１８  立方骨
６４  長足底靭帯
７６  両側縁
８０  立方骨支持凸部
８０Ａ  表面
９０  踵骨前部支持凸部
９０Ａ  表面
【要約】
足をバランス良く支持することが可能なインソールを提供する。
靴用インソール１は、踵骨前部１２Ａを足裏から支持するための踵骨前部支持凸部９０を備える構成とする。【図１】
0005498631.tif 000002
【図２】
0005498631.tif 000003
【図３】
0005498631.tif 000004
【図４】
0005498631.tif 000005
【図５】
0005498631.tif 000006
【図６】
0005498631.tif 000007
【図７】
0005498631.tif 000008
【図８】
0005498631.tif 000009